(57)【要約】【課題】基板が薄くて剛性の乏しいものであっても、該基板の表面に付着した塵埃が効率良く除去できる基板の塵埃除去装置を得る。【解決手段】基板（Ｗ）を水平に支持して一方から他方に向けて移送する移送装置（２）を設け、複数のカップ型の掻きブラシ（１０）を上下に向けて前記基板（Ｗ）の移送方向と直交する左右方向に配列するとともに、該掻きブラシ（１０）を前記基板（Ｗ）の上面と下面とに接触させ、各掻きブラシ（１０）を前記左右方向に往復動させる横移動装置（２０）、及び各掻きブラシ（１０）を上下軸心（Ｃ）を中心として回転させる回転装置（３０）を設け、前記掻きブラシ（１０）の内部を吸引形の集塵機（３５）に接続する。【選択図】図１
2008229442.tif 000002
【特許請求の範囲】
【請求項１】
基板（Ｗ）を水平に支持して一方から他方に向けて移送する移送装置（２）を設け、複数のカップ型の掻きブラシ（１０）を上下に向けて前記基板（Ｗ）の移送方向と直交する左右方向に配列するとともに、該掻きブラシ（１０）を前記基板（Ｗ）の上面と下面とに接触させ、各掻きブラシ（１０）を前記左右方向に往復動させる横移動装置（２０）、及び各掻きブラシ（１０）を上下軸心（Ｃ）を中心として回転させる回転装置（３０）を設け、前記掻きブラシ（１０）の内部を吸引形の集塵機（３５）に接続したことを特徴とする基板の塵埃除去装置。
【請求項２】
移送装置（２）の強度部材（３）にラック（３１）を基板（Ｗ）の移送方向と直交する左右方向に延長させて設け、各掻きブラシ（１０）の軸心部に上下方向の回転軸（１３）を同軸に連結し、該回転軸（１３）にピニオン（３２）を設けるとともに該ピニオン（３２）を前記ラック（３１）に噛み合わせ、前記各掻きブラシ（１０）を横移動装置（２０）によって前記左右方向に往復動させることを特徴とする請求項１記載の基板の塵埃除去装置。
【請求項３】
横移動装置（２０）によって基板（Ｗ）の移送方向と直交する左右方向に往復動される中空の支持ケース（１４）を設け、該支持ケース（１４）に掻きブラシ（１０）の回転軸（１３）を回転可能に設け、前記支持ケース（１４）の内部を吸引形の集塵機（３５）に接続するとともに、該支持ケースに前記掻きブラシ（１０）の内部と連通する吸引口（３６）を設けたことを特徴とする請求項１又は２記載の基板の塵埃除去装置。
【発明の詳細な説明】
【技術分野】
【０００１】
本発明は、薄い基板、例えばプリント基板の表面に付着した切り屑、ほこり等の塵埃を除去する基板の塵埃除去装置に関するものである。
【背景技術】
【０００２】
一般に、プリント基板は絶縁性の樹脂と導電性の銅箔とを一層又は多層に積層して形成されており、外形加工、分割溝加工したりすると、静電気、あるいは切り屑の飛散等によって基板の表面にほこり、切り屑等の塵埃が付着することになる。該塵埃は後工程で不良の原因となるため除去する必要がある。
【０００３】
ところで、従来の塵埃除去装置は、基板を横断する２本の回転ブラシローラを前後に配置して基板の表面に接触させ、これらを互いに内向きに逆回転させ、各回転ブラシローラの上部周囲を、真空ポンプに接続される集塵口で覆い、各回転ブラシローラにより、基板表面に付着している塵埃を掻き取るとともに、該掻き取った塵埃を各回転ブラシローラ間の内方で浮遊させ、該浮遊した塵埃を前記集塵口で吸引除去するようにしていた。
【０００４】
前記従来のものは、後部側の回転ブラシローラが基板の搬送方向に対して逆方向に回転されていたため、近年のように、基板が薄くて剛性の乏しくなっているものにあっては、基板の先行端部が前記後部側の回転ブラシローラに到来した際に、該先行端部が前記後部側の回転ブラシローラによって巻き上げられ、基板が損傷することになる。
【特許文献１】特開２００５−２１８９２３号公報
【発明の開示】
【発明が解決しようとする課題】
【０００５】
本発明は、基板が薄くて剛性の乏しいものであっても、該基板の表面に付着した塵埃が効率良く除去できる新規な基板の塵埃除去装置を得ることを目的とする。
【課題を解決するための手段】
【０００６】
本発明は、前記目的を達成するために、以下の如く構成したものである。即ち請求項１に係る発明は、基板を水平に支持して一方から他方に向けて移送する移送装置を設け、複数のカップ型の掻きブラシを上下に向けて前記基板の移送方向と直交する左右方向に配列するとともに、該掻きブラシを前記基板の上面と下面とに接触させ、各掻きブラシを前記左右方向に往復動させる横移動装置、及び各掻きブラシを上下軸心を中心として回転させる回転装置を設け、前記掻きブラシの内部を吸引形の集塵機に接続する構成にしたものである。
請求項２に係る発明は、前記移送装置の強度部材にラックを基板の移送方向と直交する左右方向に延長させて設け、各掻きブラシの軸心部に上下方向の回転軸を同軸に連結し、該回転軸にピニオンを設けるとともに該ピニオンを前記ラックに噛み合わせ、前記各掻きブラシを横移動装置によって前記左右方向に往復動させるようにしたものである。
請求項３に係る発明は、前記横移動装置によって基板の移送方向と直交する左右方向に往復動される中空の支持ケースを設け、該支持ケースに掻きブラシの回転軸を回転可能に設け、前記支持ケースの内部を吸引形の集塵機に接続するとともに、該支持ケースに前記掻きブラシの内部と連通する吸引口を設けたものである。
【発明の効果】
【０００７】
請求項１に係る発明は、各掻きブラシが横移動装置及び回転装置によって横移動及び回転されると、前記各掻きブラシが基板に対して左右に移動しつつ、該基板の面と直交する軸心を中心として回転しながら基板の上下面に接触することになる。このため、基板が薄くて剛性の乏しいものであっても、該基板を巻き込むことなくその表面に付着した塵埃を効率よく剥離することができる。また、集塵機の吸引力による負圧によって各掻きブラシ内に外気が流入しているため、この気流によって前記剥離した塵埃が効率よく掻きブラシ内に流入し、外部に飛散することなく集塵することができる。この結果、基板が薄くて剛性の乏しいものであっても、該基板を巻き込むことなくその表面に付着した塵埃を効率よく剥離することになる。また、各掻きブラシの内部には集塵機の吸引力による負圧によって外部から空気が流入しているため、前記剥離した塵埃は、外部に飛散することなく、前記気流によって掻きブラシ内に流入し、集塵機によって回収されることになる。
【０００８】
請求項２に係る発明は、横移動装置によって各掻きブラシ及びピニオンが基板の移送方向と直交する左右方向に往復動されると、ピニオンがラック上を転動して各掻きブラシを基板の面上で上下軸心を中心として正逆回転させる。このため、前記各掻きブラシは、左右（横）方向に移動しつつ、上下軸心を中心として正逆回転して基板の上下面に接触し、該上下面に付着した塵埃を掻き取ることになる。
【０００９】
請求項３に係る発明は、前記掻きブラシ内に流入した塵埃が、各掻きブラシを支持する中空の支持ケース内に集合し、該支持ケースから集塵機に向けて排出されることになる。このため、塵埃の排出路が簡素になる。
【発明を実施するための最良の形態】
【００１０】
以下本発明の実施例を図面に基づいて説明する。図において、図１は本発明の実施例を示す一部断面側面図、図２は図１の右方から見た説明用背面図である。
【００１１】
図１、図２において、１は基板（プリント基板）Ｗの塵埃除去装置であり、外形（端面）加工機、あるいは分割溝加工機等によって加工された基板にＷに付着した塵埃を除去するものである。該塵埃除去装置１は、基板Ｗを水平に支持して一方から他方に向けて移送する移送装置２、該移送装置２によって移送される基板Ｗの表面に付着した塵埃を掻き取る掻きブラシ１０、該掻きブラシ１０を横方向に往復動させる横移動装置２０、該掻きブラシ１０を回転させる回転装置３０、及び基板Ｗから掻き取られた塵埃を捕捉する集塵機３５等を主要部品として構成される。
【００１２】
前記移送装置２は、強度部材３に基板Ｗを支持する多数の支持ローラ４を、図１において左右に配列して取付け、各支持ローラ３をスプロケット５、チェーン６を介してモータに連結し、該モータによって各支持ローラ３を図１において右回転させる。また、掻きブラシ１０が位置する前後（図１において左右）に基板Ｗを下方に押圧する押さえローラ７を取り付ける。図１において、８はチェーン６に張力を付与するテンションスプロケットである。
【００１３】
前記移送装置２の移送始端部（図１において左部）に掻きブラシ１０を配置する。該掻きブラシ１０は、保持筒１１の一端側周縁に、繊維素材を円筒状に編成したブラシ１２を一体的に連結してなるカップ型とし、該掻きブラシ１０を、図２に示すように、基板Ｗを中心として上下に対向させて該基板Ｗの上下面に接触させるとともに、基板Ｗの移送方向と直交する左右方向に所定の間隔を保持して５列配列する。なお、この配列数は基板Ｗの左右幅、掻きブラシ１０の径等によって適宜設定する。
【００１４】
前記掻きブラシ１０は、その保持筒１１の軸心部に回転軸１３を同軸に起立固定し、該回転軸１３を介して中空の支持ケース１４に回転自在に支持する。支持ケース１４は、基板Ｗの移送方向と直交する左右方向に細長い箱型とし、図１に示すブラケット１５、レール１６を介して移送装置２の強度部材３に、図２において左右摺動可能に連結してなり、横移動装置２０によって図２において左右方向に往復動させる。
【００１５】
前記横移動装置２０はクランク機構からなり、図２に示すように、強度部材３にモータ２１を取付け、該モータ２１によって回転される前後方向の出力軸２２にクランクピン２３を偏心させて取付け、該クランクピン２３にロッド２４の一端部を回転可能に連結し、該ロッド２４の他端部を前記ブラケット１５に取り付けた連結ピン２５に回転可能に連結する。これにより、前記モータＭ１の回転運動をクランクピン２３、ロッド２４を介して直線往復運動に変換し、前記支持ケース１４、従って各掻きブラシ１０を基板Ｗの移送方向と直交する左右方向に往復動される。
【００１６】
前記各掻きブラシ１０の左右方向の往復動時に、各掻きブラシ１０を上下軸心Ｃを中心として回転させる回転装置３０を設ける。即ち、前記支持ケース１４を左右摺動可能に支持する強度部材３に、ラック３１を基板Ｗの移送方向と直交する左右方向に延長させて取付け、また、各掻きブラシ１０の回転軸１３にピニオン３２を固定し、該ピニオン３２を前記ラック３１に噛み合わせる。これにより、前記支持ケース１４が横移動装置２０によって左右方向に往復動されると、これに伴って前記各掻きブラシ１０及びピニオン３２が左右方向に往復動されるとともに、ピニオン３２がラック３１上を転動して各掻きブラシ１０を上下軸心Ｃを中心として正逆回転させる。
【００１７】
前記支持ケース１４の、回転軸１３を支持する支持部に、各掻きブラシ１０の内部と連通する吸引口３６（図１）を形成し、また、前記支持ケース１４の左右両端部に吸引ダクト３７（図２）を接続し、該吸引ダクト３７の一端を吸引式の集塵機３５に接続する。
【００１８】
前記実施例によれば、横移動装置２０によって支持ケース１４が図２において左右方向に往復動されると、各掻きブラシ１０及びピニオン３２が基板Ｗの移送方向と直交する左右方向に往復動されるとともに、ピニオン３２がラック３１上を転動して各掻きブラシ１０が上下軸心Ｃを中心として正逆回転される。これにより、前記各掻きブラシ１０は、移送装置２によって移送される基板Ｗに対し、これの移送方向と直交する左右に移動しつつ、該基板Ｗの面と直交する軸心を中心として回転しながら、該基板Ｗの上下面に接触することになる。
【００１９】
このため、基板Ｗが薄くて剛性の乏しいものであっても、該基板Ｗを巻き込むことなくその表面に付着した塵埃を効率よく剥離することができる。また、基板Ｗから剥離された塵埃は、集塵機３５の吸引力による負圧によって外気とともに効率よく各掻きブラシ１０内に流入し、吸引口３６を経て支持ケース１４内に集合し、該支持ケース１４から集塵機３５に向けて排出されることになる。また、各掻きブラシ１０の回転を各掻きブラシ１０の左右方向への往復動を利用してラック３１とピニオン３２とで行なうようにし、また、各掻きブラシ１０を支持する支持ケース１４を中空にして塵埃の流路（排出路）としたので、構造が簡素になって塵埃除去装置が小形になるとともに、製造コストが低減することになる。
【図面の簡単な説明】
【００２０】
【図１】本発明の実施例を示す一部断面側面図である。
【図２】図１の右方から見た説明用背面図である。
【符号の説明】
【００２１】
１    基板の塵埃除去装置
２    移送装置
３    強度部材
４    支持ローラ
５    スプロケット
６    チェーン
７    押さえローラ
８    テンションスプロケット
１０    掻きブラシ
１１    保持筒
１２    ブラシ
１３    回転軸
１４    支持ケース
１５    ブラケット
１６    レール
２０    横移動装置
２１    モータ
２２    出力軸
２３    クランクピン
２４    ロッド
２５    連結ピン
３０    回転装置
３１    ラック
３２    ピニオン
３５    集塵機
３６    吸引口
３７    吸引ダクト
Ｃ      上下軸心
【図１】
2008229442.tif 000003
【図２】
2008229442.tif 000004